【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
（１）式：ＣＨ３（ＣＨＲ１）ｍＸ（ＣＨＲ２）ｎＣＯ２Ｚ
〔式中、Ｒ１およびＲ２は、独立的に、Ｈ、Ｃ１−Ｃ８アルキル、ハロゲンおよびヒドロキシ、から選ばれ；ｍおよびｎは、ｍおよびｎの合計が、７以上そして２１以下になるように、独立的に、整数０〜２１から選ばれた整数であり；Ｘは、Ｏ、Ｓ、Ｎ、ＣＨ２、シクロプロピル、およびシクロプロペニルから選ばれ；Ｚは、独立的に、Ｈ、アルカリ金属、アンモニウム、アルキルアンモニウム、およびＣ１−Ｃ８アルキル、から成る群から選ばれる〕を有する少なくとも１種の脂肪酸を９９．５〜１０重量％、および
（２）次の式Ｉ、ＩＩ、およびＩＩＩ：
【化１】
1997110611.tif 000001
〔式中、Ｑは、式
【化２】
1997110611.tif 000002
から選ばれ、そして式中、Ｒ３およびＲ６は、独立的に、水素、ハロゲン、シアノ、ニトロ、トリハロメチル、メチル、フェニル、フェノキシ、任意に、ハロ−置換（Ｃ１−Ｃ８）アルキル、（Ｃ１−Ｃ８）アルキルチオ、（Ｃ１−Ｃ８）アルキルスルホキシドおよび（Ｃ１−Ｃ１８）アルコキシで置換されている、から選ばれ；Ｒ４は、水素、ハロゲン、アルコキシ、およびニトロ、から選ばれ；Ｒ５は、水素、ハロゲン、ニトロ、アルキル、アルコキシ、アルキルチオ、ハロアルキル、ハロアルコキシ、ハロアルキルチオ、フェニル、フェノキシ、およびシアノ、から選ばれ；Ｒ１およびＲ２は、独立的に、水素、（Ｃ１−Ｃ８）アルキル、（Ｃ１−Ｃ８）アルコキシ、ハロゲン、シアノ、ニトロ、から選ばれ；そしてＲ７は、アルキル、ヒドロキシアルキル、シアノアルキル、ヒドラジダール、ヘテロシクリルアルキル、フェニル、フェニルアルキル、フェニルカルボニル、アルケニル、ハロアルケニル、フェニルアルケニル、アルキニルアルケニル、アルキニル、ハロアロキニル、フェニルアルキニル、ヘテロシクリル、ジアルキニル、ヘテロシクリルアルキニル、シクロアルキルアルキニル、アルケニルアルキニル、ヒドロキシアルキニル、アルコキシアルキニル、アルカノイルオキシアルキニル、ホルミルアルキニル、トリアルキルシリルアルキニル、トリアルキルチンアルキニル、ハロアルケニルアルキニル、カルボキシアルキニル、またはアルコキシカルボニルアルキニル、から選ばれる〕から選ばれた式を有する少なくとも１種のピリダジノンを、組成物の全重量に基づいて、０．５−９０重量％、を含有する組成物。
【請求項２】
脂肪酸が、式ＣＨ３（ＣＨ２）ｎＣＯ２Ｚ（式中、ｎは、整数１２〜１８から選ばれた１つの整数であり、そしてＺは、独立的に、Ｈ、Ｎａ、Ｋ、アンモニウム、およびＣ１−Ｃ４アルキル、から成る群から、選ばれる）を有する、請求項１に記載の組成物。
【請求項３】
脂肪酸が、式ＣＨ３（ＣＨ２）ｎＣＯ２Ｚ（式中、ｎは、整数１３〜１５から選ばれた１つの整数であり、そしてＺは、独立的に、Ｈ、Ｎａ、Ｋ、アンモニウムおよびＣ１〜Ｃ４アルキルから成る群から選ばれる）を有する、請求項１に記載の組成物。
【請求項４】
（２）の化合物が、パルミチン酸；パルミチン酸の（Ｃ１−Ｃ４）アルキルエステル；パルミチン酸のカリウム塩、パルミチン酸のナトリウム塩；パルミチン酸のアンモニウム塩；ペンタデカン酸；ペンタデカン酸の（Ｃ１−Ｃ４）アルキルエステル；ペンタデカン酸のカリウム塩；ペンタデカン酸のナトリウム塩；ペンタデカン酸のアンモニウム塩；ヘプタデカン酸；ヘプタデカン酸の （Ｃ１−Ｃ４）アルキルエステル；ヘプタデカン酸のカリウム塩；ヘプタデカン酸のナトリウム塩；およびヘプタデカン酸のアンモニウム塩、から成る群から選ばれる、請求項１に記載の組成物。
【請求項５】
（１）の化合物の少なくとも１種が、６−（４−クロロフェニル）−２−（２’−ペンチン−４’−エン−１−イル）−３（２Ｈ）−ピリダジノン；６−（４−クロロフェニル）−２−（２’−ペンチニル）−３（２Ｈ）−ピリダジノン；６−（４−クロロフェニル）−２−（５’−ペントキシ−２’−ブチニル）−３（２Ｈ）−ピリダジノン；６−（４−クロロフェニル）−２−（４’−フルオロ−２’−ブチニル）−３（２Ｈ）−ピリダジノン；６−（２−ピリジル）−２−（２’−ノニニル）−３（２Ｈ）−ピリダジノン；７−クロロ−２，４，４ａ，５−テトラヒドロ−２−（２’−ペンチニル）−インデノ〔 １，２−ｃ〕−ピリダジン−３−オン；６−（４−クロロフェニル）−２−（２’−ペンチニル）−３（２Ｈ）−４，５−ジヒドロピリダジノン；６−（２−ナフチル）−２−（２’−ペンチニル）−３（２Ｈ）−ピリダジノン；および６−（４−クロロフェニル）−２−（２’−デシニル）−３（２Ｈ）−ピリダジノン、から選ばれる、請求項１に記載の組成物。
【請求項６】
（１）の化合物が、６−（４−クロロフェニル）−２−（２’−ペンチン−４’−エン−１−イル）−３（２Ｈ）−ピリダジノン；６−（４−クロロフェニル）−２−（２’−ペンチニル）−３（２Ｈ）−ピリダジノン；６−（４−クロロフェニル）−２−（５’−ペントキシ−２’−ブチニル）−３（ ２Ｈ）−ピリダジノン；６−（４−クロロフェニル）−２−（４’−フルオロ−２’−ブチニル）−３（２Ｈ）−ピリダジノン；６−（２−ピリジル）−２−（２’−ノニニル）−３（２Ｈ）−ピリダジノン；７−クロロ−２，４，４ａ，５−テトラヒドロ−２−（２’−ペンチニル）−インデノ 〔 １，２−ｃ〕−ピリダジノン−３−オン；６−（４−クロロフェニル）−２−（２’−ペンチニル）−３（２Ｈ）−４，５−ジヒドロピリダジノン；６−（２−ナフチル）−２−（２’−ペンチニル）−３（２Ｈ）−ピリダジノン；および６−（４−クロロフェニル）−２−（２’−デシニル）−３（２Ｈ）−ピリダジノン、から選ばれ、そして（２）の化合物が、パルミチン酸；パルミチン酸の（Ｃ１−Ｃ４）アルキルエステル；パルミチン酸のカリウム塩、パルミチン酸のナトリウム塩；パルミチン酸のアンモニウム塩；ペンタデカン酸；ペンタデカン酸の（Ｃ１−Ｃ４）アルキルエステル；ペンタデカン酸のカリウム塩；ペンタデカン酸のナトリウム塩；ペンタデカン酸のアンモニウム塩；ヘプタデカン酸；ヘプタデカン酸の （Ｃ１−Ｃ４）アルキルエステル；ヘプタデカン酸のカリウム塩；ヘプタデカン酸のナトリウム塩；およびヘプタデカン酸のアンモニウム塩、から成る群から選ばれる、請求項１に記載の組成物。
【請求項７】
作物栽培上許容される担体および請求項１に記載された組成物の殺菌有効量を含有する、フィトファソジェニック菌防除用組成物。
【請求項８】
薬学的に許容される担体および請求項１に記載された組成物の殺菌有効量を含有する、哺乳動物の抗菌活性を有する組成物。
【請求項９】
植物対象に、請求項１に記載の組成物の殺菌有効量を適用することを含む、植物上のフィトファソジェニック菌の生長を防除する方法。
【請求項１０】
植物対象に、請求項１に記載された組成物を、 １ヘクタールにつき０．０６ｋｇ〜１ヘクタールにつき５６ｋｇの割合において適用することを含む、植物上のフィトファソジェニック菌の生長を防除する方法。
【請求項１１】
薬学的に許容される担体および請求項１に記載された組成物の殺菌有効量を投与することを含む、哺乳動物の菌による感染を防除する方法。
【請求項１２】
木材を、請求項１に記載された組成物の殺菌有効量で処置することを含む、木材上の菌を防除する方法。
【請求項１３】
海の環境における表面を、請求項１に記載された組成物の殺菌有効量で処理することを含む、前記表面上の菌を防除する方法。